(57)【要約】【課題】  低圧放電ランプと給電部分との接触が時間経過と共に弱くならない構造にしたバックライト装置を提供する。【解決手段】  このバックライト装置は、ガラスランプ容器の軸方向両端部の電極部分２のみを扁平形状とした低圧放電ランプ１の複数本を並列させ、各低圧放電ランプの扁平な電極部分を導電性保持部材１１１にてフレームに固定したものである。【選択図】      図２
2006147297.tif 000002
【特許請求の範囲】
【請求項１】
ガラスランプ容器の軸方向両端部の電極部分のみを扁平形状とし、かつ当該扁平形状の電極部分に超音波ハンダを施した低圧放電ランプの複数本を並列させ、各低圧放電ランプの扁平な電極部分を導電性保持部材にてフレームに固定したバックライト装置。
【請求項２】
前記導電性保持部材は、長尺の導電性ゴムであり、各低圧放電ランプの扁平な電極部分を同時に保持していることを特徴とする請求項１に記載のバックライト装置。
【請求項３】
前記導電性保持部材は、長尺の金属板であり、各低圧放電ランプの扁平な電極部分を同時に保持していることを特徴とする請求項１に記載のバックライト装置。
【発明の詳細な説明】
【技術分野】
【０００１】
本発明は、バックライト装置に関する。
【背景技術】
【０００２】
大型液晶パネルの普及に伴い、蛍光ランプを並列で多灯を使う直下式バックライト装置の開発が盛んになっている。図８は従来のバックライト装置のランプ給電部の斜視図である。誘電体バリア放電型低圧放電ランプ（ＥＥＦＬ）３０は金具３１に設置されている止め金具３２に嵌め込んで固定し、金具３１は樹脂ホルダー３４にリード線３３と接続するようにねじ３５で固定される。
【０００３】
図９、図１１はそれぞれ従来の給電部の詳しい構成を示す正面図であり、図１０は図９の側面図である。尚、図１０、図１１では図９と同様の部材には同一の符号を用いて示している。
【０００４】
図９、図１０に示す従来例において、誘電体バリア放電型低圧放電ランプ３０は外部電極部分に導電テープ４１を巻設し、ヒューズホルダー４２に嵌め込んで固定する。さらにこの給電部はゴムホルダー４３で包み込んで中継基板４４上に設置し、ハンダ４５で固定している。尚、図１１に示す従来例では、ヒューズホルダー４２の代わりに金属銅線４６を巻設している。
【０００５】
このように誘電体バリア放電型低圧放電ランプを多灯に使用する大型バックライト装置が多種類開発され、また各ランプに対する給電方式としてランプ同士を直接連結（並列点灯）させて点灯させる方式が開発されているため、近年では給電部を構成するために金具や導電テープなどが主流で使用されている。
【０００６】
しかし、金具や導電テープ等で低圧放電ランプの端部を固定する場合、固定部のランプ形状が真円のため、図１０のようにランプと給電部分の金具との接触面が点接触や線接触になってしまい、ランプと給電部分との接触が時間経過と共に弱くなってくるといった問題点があった。
【発明の開示】
【発明が解決しようとする課題】
【０００７】
本発明は、上述のような従来技術の問題点に鑑みてなされたものであり、ランプと給電部分との接触が時間経過と共に弱くならない構造にしたバックライト装置を提供することを目的とする。
【課題を解決するための手段】
【０００８】
請求項１の発明のバックライト装置は、ガラスランプ容器の軸方向両端部の電極部分のみを扁平形状とし、かつ当該扁平形状の電極部分に超音波ハンダを施した低圧放電ランプの複数本を並列させ、各低圧放電ランプの扁平な電極部分を導電性保持部材にてフレームに固定したものである。
【０００９】
請求項２の発明は、請求項１のバックライト装置において、前記導電性保持部材は、長尺の導電性ゴムであり、各低圧放電ランプの扁平な電極部分を同時に保持していることを特徴とするものである。
【００１０】
請求項３の発明は、請求項１のバックライト装置において、前記導電性保持部材は、長尺の金属板であり、各低圧放電ランプの扁平な電極部分を同時に保持していることを特徴とするものである。
【発明の効果】
【００１１】
本発明によれば、低圧放電ランプの電極部分を扁平化にすることで当該電極部分と給電部材との接触をよくし、ランプ固定作業が速くでき、また給電部分の厚みの縮小が可能で、安定した給電が図れる。
【発明を実施するための最良の形態】
【００１２】
以下、本発明の実施の形態を図に基づいて詳説する。
【００１３】
（第１の実施の形態）図１は本発明の第１の実施の形態のバックライト装置の斜視図である。多数本の並設された誘電バリア放電型低圧放電ランプ（ＥＥＦＬ）１、導電性シリコンゴム製電極１１１、これを保持し補強する側板１１２、高周波、正弦波電圧を出力するインバータ８６、このインバータ８６から両側の導電性シリコンゴム製電極１１１に高周波、正弦波電圧を給電するハーネス１０３、両側の側板１１２を所定位置に固定する下フレーム１０４、多数本のＥＥＦＬ１の光を所定方向（図１において上方）に反射させる反射板１０５、多数本のＥＥＦＬ１からの光を均一に拡散させる拡散板１０６及び拡散シート１０７，１０８、そして上フレーム１０９を図示のように配置し、一体に組立てたものである。
【００１４】
図２は本実施の形態のバックライト装置における給電部分の構成を示す正面図であり、図３は側面図である。誘電体バリア放電型低圧放電ランプ１の軸方向の端部の電極部分は異形（扁平）形状に形成し、導通性を高めるため超音波ハンダディッピングにより超音波ハンダ２をその扁平な電極部分に施している。図１に示したバックライト装置に誘電体バリア放電型低圧放電ランプ１を装着する際には、この超音波ハンダ２の部分を導電性シリコンゴム製電極１１１に挿通し保持固定する。
【００１５】
本実施の形態のバックライト装置によれば、多数本の誘電体バリア放電型低圧放電ランプ１の給電部分が導電性シリコンゴム製電極１１１と面接触となって接触面積が増大し、そこに導電性シリコンゴム製電極１１１から給電することができるので、従来のように給電部分が真円になっているものよりも安定した固定ができ、作業的にも真円のものよりも速く作業ができる。また、固定が安定することで、複数本あるランプ１ヘの給電がスムーズかつ確実になる。さらに、電極部分を扁平にすることで、導電性シリコンゴム製電極１１１の幅をランプ径とほぼ同じ大きさに形成することが可能になり、電極構造を小形化できる。
【００１６】
（第２の実施の形態）図４は本発明の第２の実施の形態のバックライト装置における給電部分の正面断面図であり、図５はその側面図である。本実施の形態のバックライト装置は、図１に示した第１の実施の形態のバックライト装置と導電性シリコンゴム製電極１１１以外の構成は共通であるが、この導電性シリコンゴム製電極１１１に代えて図４に示した断面の導電性テープ１１１′を上下からサンドイッチ態様で電極部分に抑え固定するようにした点が異なっている。
【００１７】
すなわち、誘電体バリア放電型低圧放電ランプ１の電極部分は第１の実施の形態と同様に扁平形状に形成し、導通性を高めるため超音波ハンダディッピングにより超音波ハンダ２がその扁平な電極部分に施してある。そして図１に示したバックライト装置に誘電体バリア放電型低圧放電ランプ１を装着する際には、導電性シリコンゴム製電極１１１に代わる導電性テープ１１１′で上下からサンドイッチする形で保持固定する。
【００１８】
本実施の形態によれば、給電部分が面接触となりその接触面積が増大し、そこに導電性テープ１１１′にて導通させることで、真円より安定した固定ができ、作業的にも真円より速く作業ができる。また、固定が安定することで、複数本あるランプ１ヘの給電がスムーズかつ確実に行える。さらに、電極部分を扁平にすることで、導電性テープ１１１′の厚さ外形をランプ径とほぼ同じ大きさに形成することが可能になり、電極構造を小形化できる。
【００１９】
（第３の実施の形態）図６は本発明の第３の実施の形態のバックライト装置における給電部分の正面図であり、図７は側面図である。誘電体バリア放電型低圧放電ランプ１の電極部分は第１、第２の実施の形態と同様に扁平形状に形成し、導通性を高めるため超音波ハンダ２を施した構造である。そしてバックライト装置側の給電部分には、図１に示した第１の実施の形態で使用するシリコンゴム製電極１１１に代えて、各低圧放電ランプ１の扁平な電極部分に対応する位置で当該電極部分を上下から挟めるように屈曲させた金属板１１１″を用いている。この金属板１１１″はさらに、ランプ長手方向に分割した構造でもある。
【００２０】
本実施の形態によれば、給電部分が面接触となりその接触面積が増大し、そこに金属板１１１″にて導通させることで、真円より安定した固定となり、作業的にも真円より速く作業ができる利点がある。また、ランプ１の固定が安定することで、複数本あるランプヘの給電がスムーズかつ確実に行える。
【図面の簡単な説明】
【００２１】
【図１】本発明の第１の実施の形態のバックライト装置の斜視図。
【図２】本発明の第１の実施の形態の給電部分の正面図。
【図３】本発明の第１の実施の形態の給電部分の側面図。
【図４】本発明の第２の実施の形態のバックライト装置における給電部分の正面図。
【図５】本発明の第２の実施の形態のバックライト装置における給電部分の側面図。
【図６】本発明の第３の実施の形態のバックライト装置における給電部分の正面図。
【図７】本発明の第３の実施の形態のバックライト装置における給電部分の側面図。
【図８】従来のバックライト装置の斜視図。
【図９】従来のバックライト装置における給電部分の正面図。
【図１０】従来のバックライト装置における給電部分の正面図。
【図１１】他の従来のバックライト装置における給電部分の正面図。
【符号の説明】
【００２２】
１  誘電体バリア放電型低圧放電ランプ
２  超音波ハンダ
１１１  導電性シリコンゴム製電極
１１１′  導電製テープ
１１１″  金属板
【図１】
2006147297.tif 000003
【図２】
2006147297.tif 000004
【図３】
2006147297.tif 000005
【図４】
2006147297.tif 000006
【図５】
2006147297.tif 000007
【図６】
2006147297.tif 000008
【図７】
2006147297.tif 000009
【図８】
2006147297.tif 000010
【図９】
2006147297.tif 000011
【図１０】
2006147297.tif 000012
【図１１】
2006147297.tif 000013